(57)【要約】【課題】硬質地盤での掘削を好適に行う。【解決手段】地盤を掘削して円形の掘削溝を形成するケーシングビット１００であって、環状のケーシング本体部１と、ビット部２２を有し、ケーシング本体部の掘削進行方向側から突出するように設けられた複数の突出部２、…と、を備え、複数の突出部の各々のケーシング本体部の先端部からの突出長Ｌ１は、地盤に対して載荷重が影響する深さ以上とされてなる。【選択図】図２
2015140512.tif 000002
【特許請求の範囲】
【請求項１】
地盤を掘削して円形の掘削溝を形成するケーシングビットであって、
環状のケーシング本体部と、
ビット部を有し、前記ケーシング本体部の掘削進行方向側から突出するように設けられた複数の突出部と、を備え、
前記複数の突出部の各々の前記ケーシング本体部の先端部からの突出長は、地盤に対して載荷重が影響する深さ以上とされてなることを特徴とするケーシングビット。
【請求項２】
地盤を掘削して円形の掘削溝を形成するケーシングビットであって、
環状のケーシング本体部と、
ビット部を有し、前記ケーシング本体部の掘削進行方向側から突出するように設けられた複数の突出部と、
前記複数の突出部の各々に設けられ、掘削された土砂を前記ケーシング本体部の中心軸周りの回転方向後ろ側に移動させるように整流するビット側整流部と、を備えることを特徴とするケーシングビット。
【請求項３】
地盤を掘削して円形の掘削溝を形成するケーシングビットであって、
環状のケーシング本体部と、
ビット部を有し、前記ケーシング本体部の掘削進行方向側から突出するように設けられた複数の突出部と、
前記複数の突出部どうしの間に設けられ、掘削された土砂を前記ケーシング本体部の中心軸周りの回転方向後ろ側且つ前記掘削進行方向と反対側に移動させるように整流する突出部間整流部と、を備えることを特徴とするケーシングビット。
【請求項４】
前記複数の突出部の各々は、前記ビット部が取りつけられたビット取付部を有することを特徴とする請求項１〜３の何れか一項に記載のケーシングビット。
【請求項５】
地盤を掘削して円形の掘削溝を形成するケーシングビットであって、
環状のケーシング本体部と、
前記ケーシング本体部の掘削進行方向側の端部に設けられ、掘削された土砂を前記掘削進行方向と反対側に移動させるように整流する本体側整流部と、を備えることを特徴とするケーシングビット。
【請求項６】
前記ケーシング本体部の外周面及び／又は内周面に設けられ、掘削された土砂の移動を案内する複数の周面案内部を更に備え、
前記複数の周面案内部は、それぞれ線状又は螺旋状に形成されてなり、一の周面案内部の前記掘削進行方向と反対側の端部と、当該一の周面案内部と前記ケーシング本体部の中心軸周りの回転方向後ろ側にて隣合う他の周面案内部の前記掘削進行方向側の端部とが前記掘削進行方向に重なるように配置されてなることを特徴とする請求項１〜５の何れか一項に記載のケーシングビット。
【請求項７】
前記突出部の前記ケーシング本体部の掘削進行方向側の外面及び／又は内面に設けられ、掘削された土砂の移動を案内する先端側案内部を更に備え、
前記周面案内部は、前記先端側案内部に連続するように前記ケーシング本体部の外周面及び／又は内周面に形成されてなることを特徴とする請求項６に記載のケーシングビット。
【発明の詳細な説明】
【技術分野】
【０００１】
本発明は、回転掘削装置や回転杭の先端に取り付けられ、地盤を掘削するケーシングビットに関する。
【背景技術】
【０００２】
従来、回転掘削装置や回転杭の先端に取り付けられたケーシングビットを、その中心軸周りに回転させてビットにより地盤を掘削する手法が知られている。
ところで、ケーシングビットを回転させながら地中に圧入していくと、先端の土砂等が圧密されて固結し、圧力球根と呼ばれる抵抗が生じたり、地盤に貫入されたケーシング体積分の土砂等が押し退けられることで管内壁と管内部の土砂等との間に圧密されて管内閉塞が生じる虞がある。この場合、上向きの抵抗が増大して、掘削不能に陥ってしまう。
【０００３】
このため、水やエアーを使用することで、掘削不能に陥ることを回避するようになっているが、掘削の深度が深くなると効果が低減してしまう。また、周囲の地盤に対する影響を考慮すると、水やエアーの使用量を必要以上に多くすることができない。
そこで、管内閉塞が生じる前に、ケーシングの内側の土砂等を適宜ハンマーグラブ等で除去するようになっている。ここで、ケーシングの内壁とケーシング内側の未掘削の土砂等との間にハンマーグラブを入れる隙間が必要となるため、インサートカッターを設けて掘削幅を広げる構成のケーシングビットが提案されている（例えば、特許文献１、２参照）。
【０００４】
また、ケーシングの先端に当該ケーシング下側の土砂を掘削するための地盤掘削翼と、掘削された土砂等を径方向外側に移動させるための掘削爪を設けた砂杭造成装置も提案されている（例えば、特許文献３参照）。
【先行技術文献】
【特許文献】
【０００５】
【特許文献１】特開平３−６６８９２号公報
【特許文献２】特開２０００−１５４６９３号公報
【特許文献３】特開２０１０−１３３２３２号公報
【発明の概要】
【発明が解決しようとする課題】
【０００６】
しかしながら、上記特許文献１、２の場合、ケーシングの内壁とケーシング内側の未掘削の土砂等との間の隙間が広がっても土砂等を排出する能力はないため、依然として水やエアーを使用しなければならず、深度が深くなると管内閉塞が生じる虞がある。
また、掘削されて押し退けられた土砂等を逃がす空間が少なく、ビットの前側とケーシング先端下面に土砂等の固結が短時間で発生してしまい、例えば、玉石等が挟まると外れないために掘削不能に陥ってしまう。
さらに、土砂等を逃がす空間が少ないためにビットの摩耗が多くなり、掘削の深度が深いと掘削ビットの交換が必要となる。このため、引き抜きにより周囲地盤が崩壊する虞のある現場では使用できないといった問題がある。また、掘削幅が広いために掘削速度が遅くなり、効率も低下してしまう。
【０００７】
また、特許文献３の場合、掘削爪が先行して掘削することで形成される土砂等の密度の低い環状空間側に、地盤掘削翼のビットにより掘削されたケーシング下面の土砂等を押し出すようになっているため、柔らかい地盤でないと使用できず、硬質地盤での掘削は全くできないといった問題がある。
【０００８】
そこで、本発明の課題は、硬質地盤での掘削を好適に行うことができるケーシングビットを提供することである。
【課題を解決するための手段】
【０００９】
上記課題を解決するため、請求項１に記載の発明は、
地盤を掘削して円形の掘削溝を形成するケーシングビットであって、
環状のケーシング本体部と、
ビット部を有し、前記ケーシング本体部の掘削進行方向側から突出するように設けられた複数の突出部と、を備え、
前記複数の突出部の各々の前記ケーシング本体部の先端部からの突出長は、地盤に対して載荷重が影響する深さ以上とされてなることを特徴とする。
【００１０】
請求項２に記載の発明は、
地盤を掘削して円形の掘削溝を形成するケーシングビットであって、
環状のケーシング本体部と、
ビット部を有し、前記ケーシング本体部の掘削進行方向側から突出するように設けられた複数の突出部と、
前記複数の突出部の各々に設けられ、掘削された土砂を前記ケーシング本体部の中心軸周りの回転方向後ろ側に移動させるように整流するビット側整流部と、を備えることを特徴とする。
【００１１】
請求項３に記載の発明は、
地盤を掘削して円形の掘削溝を形成するケーシングビットであって、
環状のケーシング本体部と、
ビット部を有し、前記ケーシング本体部の掘削進行方向側から突出するように設けられた複数の突出部と、
前記複数の突出部どうしの間に設けられ、掘削された土砂を前記ケーシング本体部の中心軸周りの回転方向後ろ側且つ前記掘削進行方向と反対側に移動させるように整流する突出部間整流部と、を備えることを特徴とする。
【００１２】
請求項４に記載の発明は、請求項１〜３の何れか一項に記載のケーシングビットにおいて、
前記複数の突出部の各々は、前記ビット部が取りつけられたビット取付部を有することを特徴とする。
【００１３】
請求項５に記載の発明は、
地盤を掘削して円形の掘削溝を形成するケーシングビットであって、
環状のケーシング本体部と、
前記ケーシング本体部の掘削進行方向側の端部に設けられ、掘削された土砂を前記掘削進行方向と反対側に移動させるように整流する本体側整流部と、を備えることを特徴とする。
【００１４】
請求項６に記載の発明は、請求項１〜５の何れか一項に記載のケーシングビットにおいて、
前記ケーシング本体部の外周面及び／又は内周面に設けられ、掘削された土砂の移動を案内する複数の周面案内部を更に備え、
前記複数の周面案内部は、それぞれ線状又は螺旋状に形成されてなり、一の周面案内部の前記掘削進行方向と反対側の端部と、当該一の周面案内部と前記ケーシング本体部の中心軸周りの回転方向後ろ側にて隣合う他の周面案内部の前記掘削進行方向側の端部とが前記掘削進行方向に重なるように配置されてなることを特徴とする。
【００１５】
請求項７に記載の発明は、請求項６に記載のケーシングビットにおいて、
前記突出部の前記ケーシング本体部の掘削進行方向側の外面及び／又は内面に設けられ、掘削された土砂の移動を案内する先端側案内部を更に備え、
前記周面案内部は、前記先端側案内部に連続するように前記ケーシング本体部の外周面及び／又は内周面に形成されてなることを特徴とする。
【発明の効果】
【００１６】
本発明によれば、硬質地盤での掘削速度の高速化を図ることができるとともに、ビット部の摩耗を減少させてビット部の寿命をより長くすることができ、これにより、硬質地盤での掘削を好適に行うことができる。
【図面の簡単な説明】
【００１７】
【図１】本発明を適用した実施形態１のケーシングビットを示す底面図である。
【図２】図１のケーシングビットの突出部を説明するための図である。
【図３】本発明を適用した実施形態２のケーシングビットを説明するための図である。
【図４】図３のケーシングビットの変形例を説明するための図である。
【図５】本発明を適用した実施形態３のケーシングビットを説明するための図である。
【図６】本発明を適用した実施形態４のケーシングビットを説明するための図である。
【図７】本発明を適用した実施形態５のケーシングビットを説明するための図である。
【図８】本発明を適用した実施形態６のケーシングビットを説明するための図である。
【発明を実施するための形態】
【００１８】
以下に、本発明について、図面を用いて具体的な態様を説明する。ただし、発明の範囲は、図示例に限定されない。
【００１９】
［実施形態１］
図１は、本発明を適用した実施形態１のケーシングビット１００の概略構成を模式的に示す図である。また、図２（ａ）は、ケーシングビット１００を側方から見た状態を模式的に平面状に展開した状態を示す図であり、図２（ｂ）は、図２（ａ）のＡ−Ａ線におけるケーシングビット１００の断面図である。
なお、以下の実施形態では、回転しながら地盤を掘削するケーシングビット１００の軸方向を上下方向として説明し、ケーシングビット１００の掘削進行方向側を下側、掘削進行方向と反対側を上側とする。また、ケーシングビット１００の回転方向とは、地盤を掘削する際に当該ケーシングビット１００が正回転する方向（図２（ａ）中、白抜きの矢印で示す方向）のことを言う。
【００２０】
ケーシングビット１００は、回転掘削装置や回転杭等Ｍ（図２（ｂ）参照）の先端に取り付けられる掘削工具であり、その中心軸回りに回転させてビットにより地盤を掘削させて円形の掘削溝を形成しつつ掘り進む掘削工法に利用される。
具体的には、図１及び図２に示すように、ケーシングビット１００は、ケーシング本体部１と、このケーシング本体部１の掘削進行方向側に設けられた複数の突出部２、…とを備えている。
【００２１】
ケーシング本体部１は、その掘削進行方向と反対側（図２（ａ）における上側）に回転掘削装置や回転杭等が接続されるようになっている。また、ケーシング本体部１は、例えば、軸方向に略直交する断面が略円環形状をなす円筒状に形成されている。
また、ケーシング本体部１の掘削進行方向側（図２（ａ）における下側）に複数の突出部２、…が設けられている。
【００２２】
複数の突出部２、…の各々は、ケーシング本体部１の掘削進行方向側から突出するように設けられている。具体的には、複数の突出部２、…は、ケーシング本体部１の周方向に略等しい所定間隔を空けて並設されている。また、各突出部２は、ビット取付部２１にビット部２２が取り付けられて構成されている。
【００２３】
ビット取付部２１は、ケーシング本体部１の掘削進行方向側の端部に設けられている。また、ビット取付部２１は、ケーシング本体部１の掘削進行方向側の端面に対して略直交するように掘削進行方向（上下方向）に沿って延在している。また、ビット取付部２１の掘削進行方向側の端部にビット部２２が取り付けられている。
ビット部２２は、その掘削進行方向側の端部に掘削刃２２ａが設けられている。また、複数のビット部２２、…は、ケーシングビット１００の回転方向に隣合うものどうしで掘削刃２２ａの向きが逆向きとなるように互い違いに配設されている。
【００２４】
各突出部２のケーシング本体部１の掘削進行方向側の端部（先端部）からの突出長Ｌ１は、地盤に対して載荷重が影響する深さ以上とされている。
一般的に、ケーシングビット１００を用いて地盤を掘削するときの単位面積あたりの構造物荷重をｑとした場合に、鉛直方向の増加応力の値が０．２ｑとなる深さまで地盤に対して載荷重が影響すると考えられる。図２（ｂ）には、増加応力が０．２ｑに相当する圧力球根Ｂがドットを付して模式的に表されている。
本実施形態のケーシングビット１００を回転掘削装置や回転杭等に取り付けると、軸方向の長さが長い帯状荷重となり、増加応力が０．２ｑに相当する圧力球根Ｂの深さＤ１は、ケーシング本体部１の径方向の厚さＷ１（図２（ｂ）参照）の３．２倍程度となる。
つまり、地盤に対して載荷重が影響する深さは、ケーシング本体部１の径方向の厚さＷ１の３．２倍までの距離であることから、各突出部２の突出長Ｌ１は、ケーシング本体部１の径方向の厚さＷ１の３．２倍の長さよりも長くなっているのが好ましい。
さらに、各突出部２の突出長Ｌ１は、ビット部２２の径方向の厚さＷ２、すなわち、掘削幅の２倍の長さよりも長くなっているのがより好ましい。
【００２５】
また、ケーシングビット１００の回転方向に隣合う突出部２どうしの間隔Ｄ２が大きい程、土砂等が固結し難く、また、土砂等が固結しても圧密度が相対的に低い部分が生じることから剥がれ易くなる。そこで、ケーシングビット１００の回転方向に隣合う突出部２どうしの間隔Ｄ２は、ビット部２２の径方向の厚さＷ２の２倍の長さよりも長くなっているのがより好ましい。
なお、図２（ａ）には、固結した土砂等Ｓ１をクロスのハッチングを用いて表し、固結した土砂等Ｓ１よりも圧密度が低いが次第に固結していく土砂等Ｓ２を斜めのハッチングを用いて表し、圧密度が低い土砂等Ｓ３を横のハッチングを用いて表し、これらの領域により、増加応力が０．２ｑに相当する圧力球根Ｂが構成されている。
【００２６】
次に、実施形態１のケーシングビット１００を用いた地盤の掘削処理について説明する。
回転掘削装置や回転杭Ｍ等の先端に取り付けられたケーシングビット１００を所定の回転方向に回転させながら掘削進行方向に移動させていくことで、当該ケーシングビット１００による地盤の掘削が行われる。
【００２７】
このとき、複数の突出部２、…の各々のケーシング本体部１の掘削進行方向側の端部からの突出長Ｌ１は、地盤に対して載荷重が影響する深さ（鉛直方向の増加応力の値が０．２ｑとなる深さ）以上とされているので、掘削により圧力球根Ｂが発生しても実質的に影響のない深い位置、すなわち、増加応力が０．２ｑに相当する圧力球根Ｂよりも深い位置を掘削することができる。
さらに、ケーシングビット１００の回転方向に隣合う突出部２どうしの間隔Ｄ２が大きいため、ケーシング本体部１の掘削進行方向側の端部に土砂等が固結し難くなる。仮に、ケーシング本体部１の掘削進行方向側の端部に土砂等が固結しても圧密度が相対的に低く、剥がれ易くなる。
【００２８】
以上のように、実施形態１のケーシングビット１００によれば、ビット部２２を有する複数の突出部２、…の各々のケーシング本体部１の先端部からの突出長Ｌ１は、地盤に対して載荷重が影響する深さ以上とされているので、掘削により圧力球根Ｂが発生しても実質的に影響のない深い位置を掘削することができ、硬質地盤での掘削速度の高速化を図ることができる。また、複数の突出部２、…どうしの間により土砂等を逃がす空間を確保することができ、ビット部２２の摩耗を減少させてビット部２２の寿命をより長くすることができる。さらに、管内閉塞が生じ難くなり、杭の圧入をより短時間で行うことができる。
このように、硬質地盤での掘削を好適に行うことができる。
【００２９】
［実施形態２］
図３は、本発明を適用した実施形態２のケーシングビット２００の概略構成を模式的に示す図である。このうち、図３（ａ）は、ケーシングビット２００を側方から見た状態を模式的に平面状に展開した状態を示す図であり、図３（ｂ）は、図３（ａ）のＢ−Ｂ線におけるケーシングビット２００の断面図であり、図３（ｃ）は、図３（ａ）のＣ−Ｃ線におけるケーシングビット２００の断面図である。
【００３０】
図３に示すように、実施形態２のケーシングビット２００は、複数の突出部２、…どうしの間に突出部間整流部３が設けられている。
なお、ケーシング本体部１と突出部２の構成は、上記実施形態１と略同様であり、その詳細な説明は省略する。
【００３１】
複数の突出部間整流部３、…の各々は、突出部２のビット取付部２１よりもケーシングビット２００（ケーシング本体部１）の回転方向前側、且つ、ケーシング本体部１よりも掘削進行方向側に設けられている。
具体的には、突出部間整流部３は、側方から見た状態で一の辺がビット取付部２１の回転方向前側の端部に接するとともに他の辺が掘削進行方向側の端部に接する略三角形状をなしている。
また、突出部間整流部３は、例えば、掘削進行方向側から掘削進行方向と反対側になるにつれて径方向の厚さが漸次大きく、且つ、回転方向前側から回転方向後ろ側になるにつれて径方向の厚さが漸次大きくなるような形状に形成されている。
【００３２】
また、突出部間整流部３は、回転方向前側の端部の径方向の厚さＷ３（図３（ｃ）参照）が最も幅狭となるように形成されているので、回転方向に関して増加応力が０．２ｑに相当する圧力球根Ｂの高さＨ１（突出部間整流部３の回転方向前側の端部の径方向の厚さＷ３の３．２倍程度）が小さくなる。結果として、増加応力が０．２ｑに相当する圧力球根Ｂの径方向の幅Ｗ４は、突出部間整流部３の回転方向後ろ側の端部の径方向の厚さＷ５よりも小さくなる。
【００３３】
このような構成の突出部間整流部３は、掘削された土砂等をケーシングビット２００の回転方向後ろ側且つ掘削進行方向と反対側に移動させるように整流する機能を具備する。
【００３４】
なお、図３（ａ）には、上記実施形態１と略同様に、圧密度が低いが次第に固結していく土砂等Ｓ２を斜めのハッチングを用いて表し、圧密度が低い土砂等Ｓ３を横のハッチングを用いて表し、これらの領域により、増加応力が０．２ｑに相当する圧力球根Ｂが構成されている。
【００３５】
次に、実施形態２のケーシングビット２００を用いた地盤の掘削処理について説明する。
上記実施形態１と略同様に、ケーシングビット２００を所定の回転方向に回転させながら掘削進行方向に移動させていくことで、当該ケーシングビット２００による地盤の掘削が行われる。
【００３６】
このとき、複数の突出部２、…どうしの間に設けられている突出部間整流部３による整流作用により、掘削された土砂等は回転方向後ろ側且つ掘削進行方向と反対側に移動することとなり、ケーシング本体部１の掘削進行方向側の端部や突出部間整流部３等に土砂等が固結し難くなる。仮に、ケーシング本体部１の掘削進行方向側の端部に土砂等が固結しても、突出部間整流部３による整流作用により剥がれ易くなる。
また、上記実施形態１のケーシングビット１００と略同様に、複数の突出部２、…の各々のケーシング本体部１の掘削進行方向側の端部からの突出長Ｌ１は、地盤に対して載荷重が影響する深さ以上とされているので、掘削により圧力球根Ｂが発生しても実質的に影響のない深い位置を掘削することができる。さらに、ケーシングビット２００の回転方向に隣合う突出部２どうしの間隔Ｄ２が大きいため、ケーシング本体部１の掘削進行方向側の端部に土砂等が固結し難くなる。
【００３７】
以上のように、実施形態２のケーシングビット２００によれば、ビット部２２を有する複数の突出部２、…どうしの間に突出部間整流部３が設けられているので、掘削された土砂等は当該突出部間整流部３による整流作用によりケーシングビット２００の回転方向後ろ側且つ掘削進行方向と反対側に移動することとなり、ケーシング本体部１の掘削進行方向側の端部や突出部間整流部３等に土砂等を固結し難くすることができる。これにより、ビット部２２の地盤への喰い込みを効率良く行うことができ、硬質地盤での掘削速度の高速化を図ることができるとともに、ビット部２２の摩耗を減少させてビット部２２の寿命をより長くすることができる。さらに、管内閉塞が生じ難くなり、杭の圧入をより短時間で行うことができる。
このように、硬質地盤での掘削を好適に行うことができる。
【００３８】
＜変形例１＞
図４は、実施形態２のケーシングビット２００の変形例を説明するための図である。
図４に示すように、本変形例のケーシングビット２００Ａは、ケーシング本体部１と、複数の突出部２、…と、複数の突出部間整流部３、…とが一体となって構成されている。すなわち、ケーシング本体部１と複数の突出部２、…との継ぎ目部分や、ケーシング本体部１と複数の突出部間整流部３、…との継ぎ目部分が略面一となっている。
【００３９】
このような構成としても、上記実施形態２のケーシングビット２００と略同様に、ビット部２２を有する複数の突出部２、…どうしの間に設けられている突出部間整流部３による整流作用により、ケーシング本体部１の掘削進行方向側の端部や突出部間整流部３等に土砂等を固結し難くすることができる。さらに、ケーシング本体部１と複数の突出部２、…との継ぎ目部分や、ケーシング本体部１と複数の突出部間整流部３、…との継ぎ目部分を略面一とすることができ、これにより、土砂等の整流効果をより向上させることができる。
【００４０】
［実施形態３］
図５は、本発明を適用した実施形態３のケーシングビット３００の概略構成を模式的に示す図である。このうち、図５（ａ）は、ケーシングビット３００を側方から見た状態を模式的に平面状に展開した状態を示す図であり、図５（ｂ）は、Ｄ−Ｄ線におけるケーシングビット３００の断面図であり、図５（ｃ）は、Ｅ−Ｅ線におけるケーシングビット３００の断面図である。
【００４１】
図５に示すように、実施形態３のケーシングビット３００は、ケーシング本体部１に本体側整流部４が設けられ、複数の突出部２、…の各々にビット側整流部５５が設けられている。
【００４２】
本体側整流部４は、ケーシング本体部１の掘削進行方向側の端部に設けられている。また、本体側整流部４は、例えば、図５（ｂ）に示すように、掘削進行方向側から掘削進行方向と反対側になるにつれて径方向の厚さが漸次大きくなるような形状に形成されている。すなわち、本体側整流部４は、ケーシング本体部１の掘削進行方向側の部分に対して所定の加工を施すことで形成されている。
【００４３】
このような構成の本体側整流部４は、掘削された土砂等をケーシングビット３００の掘削進行方向と反対側に移動させるように整流する機能を具備する。
【００４４】
また、本体側整流部４は、掘削進行方向側の端部の径方向の厚さＷ６（図５（ｂ）参照）が最も幅狭となるように形成されているので、増加応力が０．２ｑに相当する圧力球根Ｂの深さＤ３（本体側整流部４の掘削進行方向側の端部の径方向の厚さＷ６の３．２倍程度）が浅くなる。つまり、複数の突出部２、…の各々のケーシング本体部１の先端部からの突出長Ｌ１のうち、増加応力が０．２ｑに相当する圧力球根Ｂがない領域に対応する長さＬ２（図５（ａ）参照）がより長くなる。
また、増加応力が０．２ｑに相当する圧力球根Ｂの径方向の幅Ｗ７は、ビット部２２の径方向の厚さＷ２、すなわち、掘削幅よりも小さくなる。
【００４５】
ビット側整流部５は、各突出部２のビット取付部２１に設けられている。具体的には、ビット側整流部５は、ビット取付部２１におけるケーシングビット３００の回転方向前側の端部に設けられている。また、ビット側整流部５は、例えば、図５（ｃ）に示すように、回転方向前側から回転方向後ろ側になるにつれて径方向の厚さが漸次大きくなるような形状に形成されている。すなわち、ビット側整流部５は、ビット取付部２１の回転方向前側の部分に対して所定の加工を施すことで形成されている。
【００４６】
このような構成のビット側整流部５は、掘削された土砂等をケーシングビット３００の回転方向後ろ側に移動させるように整流する機能を具備する。
【００４７】
また、ビット側整流部５は、回転方向前側の端部の径方向の厚さＷ８（図５（ｃ）参照）が最も幅狭となるように形成されているので、回転方向に関して増加応力が０．２ｑに相当する圧力球根Ｂの高さＨ２（ビット側整流部５の回転方向前側の端部の径方向の厚さＷ８の３．２倍程度）が小さくなる。結果として、増加応力が０．２ｑに相当する圧力球根Ｂの径方向の幅Ｗ９は、ビット取付部２１の径方向の厚さＷ１０よりも小さくなる。
【００４８】
また、ケーシング本体部１の本体側整流部４の回転方向後ろ側、且つ、ビット側整流部５の掘削進行方向と反対側には、本体側整流部４とビット側整流部５を接続する接続整流部６が設けられている。この接続整流部６は、例えば、掘削進行方向側から掘削進行方向と反対側になるにつれて径方向の厚さが漸次大きく、且つ、回転方向前側から回転方向後ろ側になるにつれて径方向の厚さが漸次大きくなるような形状に形成されている。
【００４９】
次に、実施形態３のケーシングビット３００を用いた地盤の掘削処理について説明する。
上記実施形態１、２と略同様に、ケーシングビット３００を所定の回転方向に回転させながら掘削進行方向に移動させていくことで、当該ケーシングビット３００による地盤の掘削が行われる。
【００５０】
このとき、ケーシング本体部１の掘削進行方向側の端部に設けられている本体側整流部４による整流作用により、掘削された土砂等は掘削進行方向と反対側に移動することとなり、ケーシング本体部１の掘削進行方向側の端部や本体側整流部４等に土砂等が固結し難くなる。仮に、ケーシング本体部１の掘削進行方向側の端部に土砂等が固結しても、本体側整流部４による整流作用により剥がれ易くなる。
特に、本体側整流部４は、掘削進行方向側の端部の径方向の厚さＷ６が最も幅狭となるように形成されていることから、複数の突出部２、…の各々のケーシング本体部１の先端部からの突出長Ｌ１のうち、増加応力が０．２ｑに相当する圧力球根Ｂがない領域に対応する長さＬ２がより長くなり、土砂等の整流効果がより向上する。
【００５１】
また、複数の突出部２、…の各々に設けられているビット側整流部５による整流作用により、掘削された土砂等は回転方向後ろ側に移動することとなり、突出部２の回転方向前側の端部やビット側整流部５等に土砂等が固結し難くなる。仮に、突出部２の回転方向前側の端部に土砂等が固結しても、ビット側整流部５による整流作用により剥がれ易くなる。
特に、ビット側整流部５は、回転方向前側の端部の径方向の厚さＷ８が最も幅狭となるように形成されていることから、増加応力が０．２ｑに相当する圧力球根Ｂの径方向の幅Ｗ９がビット取付部２１の径方向の厚さＷ１０よりも小さくなり、土砂等の整流効果がより向上する。
【００５２】
また、上記実施形態１、２のケーシングビット１００と略同様に、複数の突出部２、…の各々のケーシング本体部１の掘削進行方向側の端部からの突出長Ｌ１は、地盤に対して載荷重が影響する深さ以上とされているので、掘削により圧力球根Ｂが発生しても実質的に影響のない深い位置を掘削することができる。さらに、ケーシングビット３００の回転方向に隣合う突出部２どうしの間隔Ｄ２が大きいため、ケーシング本体部１の掘削進行方向側の端部に土砂等が固結し難くなる。
【００５３】
以上のように、実施形態３のケーシングビット３００によれば、ケーシング本体部１の掘削進行方向側の端部に本体側整流部４が設けられているので、掘削された土砂等は当該本体側整流部４による整流作用によりケーシングビット３００の掘削進行方向と反対側に移動することとなり、ケーシング本体部１の掘削進行方向側の端部や本体側整流部４等に土砂等を固結し難くすることができる。また、複数の突出部２、…の各々にビット側整流部５が設けられているので、掘削された土砂等は当該ビット側整流部５による整流作用によりケーシング本体部１の中心軸周りの回転方向後ろ側に移動することとなり、突出部２の回転方向前側の端部やビット側整流部５等に土砂等を固結し難くすることができる。
これにより、ビット部２２の地盤への喰い込みを効率良く行うことができ、硬質地盤での掘削速度の高速化を図ることができるとともに、ビット部２２の摩耗を減少させてビット部２２の寿命をより長くすることができる。さらに、管内閉塞が生じ難くなり、杭の圧入をより短時間で行うことができる。
このように、硬質地盤での掘削を好適に行うことができる。
【００５４】
なお、上記実施形態３のケーシングビット３００は、本体側整流部４及びビット側整流部５の両方を備えるようにしたが、一例であってこれに限られるものではなく、本体側整流部４及びビット側整流部５のうち、少なくとも何れか一方を備えていれば良い。
【００５５】
［実施形態４］
図６は、本発明を適用した実施形態４のケーシングビット４００の概略構成を模式的に示す図である。
【００５６】
図６に示すように、実施形態４のケーシングビット４００は、本体側整流部４及びビット側整流部５に加えて、突出部間整流部３を具備している。
なお、突出部間整流部３の構成は、上記実施形態２と略同様であり、その詳細な説明は省略する。また、本体側整流部４及びビット側整流部５の構成は、上記実施形態３と略同様であり、その詳細な説明は省略する。
【００５７】
以上のように、実施形態４のケーシングビット４００によれば、本体側整流部４、ビット側整流部５及び突出部間整流部３により土砂等の整流効果をより向上させることができる。結果として、ビット部２２の地盤への喰い込みを効率良く行うことができ、硬質地盤での掘削速度の高速化を図ることができるとともに、ビット部２２の摩耗を減少させてビット部２２の寿命をより長くすることができる。さらに、管内閉塞が生じ難くなり、杭の圧入をより短時間で行うことができる。
このように、硬質地盤での掘削を好適に行うことができる。
【００５８】
［実施形態５］
図７は、本発明を適用した実施形態５のケーシングビット５００の概略構成を模式的に示す図である。
【００５９】
図７に示すように、実施形態５のケーシングビット５００は、ケーシング本体部１に本体側整流部４が設けられ、ケーシング本体部１の掘削進行方向側に複数のビット部２２、…が取り付けられている。
すなわち、ケーシング本体部１には、上記実施形態３、４と略同様に、本体側整流部４が形成されている。なお、本体側整流部４の構成は、上記実施形態３、４と略同様であり、その詳細な説明は省略する。
【００６０】
複数のビット部２２、…は、ケーシング本体部１の掘削進行方向側から突出するように取り付けられている。具体的には、本実施形態では、複数のビット部２２、…は、ビット取付部２１を介在させることなく、ケーシング本体部１の掘削進行方向側の端部に直接取り付けられている。また、複数のビット部２２、…は、ケーシング本体部１の周方向に略等しい所定間隔を空けて並設されている。
【００６１】
以上のように、実施形態５のケーシングビット５００によれば、ケーシング本体部１の掘削進行方向側の端部に本体側整流部４が設けられているので、掘削された土砂等は当該本体側整流部４による整流作用によりケーシングビット５００の掘削進行方向と反対側に移動することとなり、ケーシング本体部１の掘削進行方向側の端部や本体側整流部４等に土砂等を固結し難くすることができる。これにより、ビット部２２の地盤への喰い込みを効率良く行うことができ、硬質地盤での掘削速度の高速化を図ることができるとともに、ビット部２２の摩耗を減少させてビット部２２の寿命をより長くすることができる。さらに、管内閉塞が生じ難くなり、杭の圧入をより短時間で行うことができる。
このように、硬質地盤での掘削を好適に行うことができる。
【００６２】
［実施形態６］
図８は、本発明を適用した実施形態６のケーシングビット６００の概略構成を模式的に示す図である。このうち、図８（ａ）は、ケーシングビット６００を側方から見た状態を模式的に平面状に展開した状態を示す図であり、図８（ｂ）は、Ｆ−Ｆ線におけるケーシングビット６００の断面図である。
【００６３】
図８に示すように、実施形態６のケーシングビット６００は、ケーシング本体部１の外周面及び内周面に外周面案内部７１及び内周面案内部７２がそれぞれ複数設けられ、突出部２の外面又は内面に外先端側案内部８１又は内先端側案内部８２が設けられている。
なお、実施形態６のケーシングビット６００は、突出部間整流部３を具備しているが、上記実施形態２と略同様であり、その詳細な説明は省略する。
【００６４】
外先端側案内部８１及び内先端側案内部８２は、ケーシングビット６００の回転方向に隣合う突出部２に互い違いとなるように交互に配設されている。
外先端側案内部８１は、突出部２の外面から径方向内側に凹んで形成された所定幅を有する溝状をなしている。また、内先端側案内部８２は、突出部２の内面から径方向外側に凹んで形成された所定幅を有する溝状をなしている。
また、外先端側案内部８１及び内先端側案内部８２は、突出部２におけるケーシングビット６００の回転方向後ろ側の端部に、掘削進行方向及び回転方向の各々に対して斜めに交わるように配設されている。具体的には、外先端側案内部８１及び内先端側案内部８２は、各々の掘削進行方向側の端部が回転方向前側に配置されるとともに、掘削進行方向と反対側の端部が回転方向後ろ側に配置されるように傾斜して形成されている。
【００６５】
このような構成の外先端側案内部８１及び内先端側案内部８２は、掘削された土砂等をケーシングビット６００の回転方向後ろ側且つ掘削進行方向と反対側に移動させるように案内する機能を具備する。なお、図８（ａ）には、土砂等の移動方向を、塗り潰した矢印で模式的に表している。
【００６６】
外周面案内部７１及び内周面案内部７２は、ケーシング本体部１の掘削進行方向と反対側に、ケーシングビット６００の回転方向（及びケーシングビット６００の掘削進行方向）に対して互い違いとなるように交互に配設されている。
外周面案内部７１は、外先端側案内部８１に所定の深さの外側溝状部９１を介して連続するようにケーシング本体部１の外周面に形成されている。また、外周面案内部７１は、ケーシング本体部１の外周面から径方向外側に突出して形成された所定幅を有する線状をなしている（図８（ａ）及び図８（ｂ）参照）。また、外周面案内部７１は、掘削進行方向及び回転方向の各々に対して斜めに交わるように配置されている。
内周面案内部７２は、内先端側案内部８２に所定の深さの内側溝状部９２を介して連続するようにケーシング本体部１の内周面に形成されている。また、内周面案内部７２は、ケーシング本体部１の内周面から径方向内側に突出して形成された所定幅を有する線状をなしている（図８（ａ）及び図８（ｂ）参照）。また、内周面案内部７２は、掘削進行方向及び回転方向の各々に対して斜めに交わるように配置されている。
【００６７】
また、複数の外周面案内部７１、…は、一の外周面案内部７１の掘削進行方向と反対側の端部と、当該一の外周面案内部７１とケーシングビット６００の回転方向後ろ側にて隣合う他の外周面案内部７１の掘削進行方向側の端部とが掘削進行方向に重なるように配置されてなる。すなわち、複数の外周面案内部７１、…のうち、ケーシングビット６００の回転方向に隣合うものどうしは、一方の掘削進行方向側の端部と他方の掘削進行方向と反対側の端部とが重なり合っている。
また、複数の内周面案内部７２、…は、一の内周面案内部７２の掘削進行方向と反対側の端部と、当該一の内周面案内部７２とケーシングビット６００の回転方向後ろ側にて隣合う他の内周面案内部７２の掘削進行方向側の端部とが掘削進行方向に重なるように配置されてなる。すなわち、複数の内周面案内部７２、…のうち、ケーシングビット６００の回転方向に隣合うものどうしは、一方の掘削進行方向側の端部と他方の掘削進行方向と反対側の端部とが重なり合っている。
【００６８】
このような構成の外周面案内部７１及び内周面案内部７２は、掘削された土砂等をケーシングビット６００の回転方向後ろ側且つ掘削進行方向と反対側に移動させるように案内する機能を具備する。なお、図８（ａ）には、土砂等の移動方向を、塗り潰した矢印で模式的に表している。
【００６９】
次に、実施形態６のケーシングビット６００を用いた地盤の掘削処理について説明する。
上記実施形態１〜５と略同様に、ケーシングビット６００を所定の回転方向に回転させながら掘削進行方向に移動させていくことで、当該ケーシングビット６００による地盤の掘削が行われる。
【００７０】
このとき、突出部２に設けられている外先端側案内部８１や内先端側案内部８２により、掘削された土砂等は回転方向後ろ側且つ掘削進行方向と反対側への移動が案内されて、ケーシング本体部１の掘削進行方向側の端部や突出部間整流部３等に土砂等が固結し難くなる。
また、ケーシング本体部１に設けられている外周面案内部７１や内周面案内部７２により、掘削された土砂等は回転方向後ろ側且つ掘削進行方向と反対側への移動が案内されて、ケーシング本体部１の掘削進行方向側の端部や突出部間整流部３等に土砂等が固結し難くなる。特に、外周面案内部７１や内周面案内部７２は、外先端側案内部８１や内先端側案内部８２に連続するように形成されていることから、外先端側案内部８１や内先端側案内部８２により移動が案内される土砂等がスムーズに外周面案内部７１や内周面案内部７２に受け渡されて、回転方向後ろ側且つ掘削進行方向と反対側へと移動することとなる。
【００７１】
以上のように、実施形態６のケーシングビット６００によれば、突出部２に外先端側案内部８１や内先端側案内部８２が設けられているので、掘削された土砂等は当該外先端側案内部８１や内先端側案内部８２により案内されてケーシングビット６００の回転方向後ろ側且つ掘削進行方向と反対側に移動することとなり、ケーシング本体部１の掘削進行方向側の端部等に土砂等を固結し難くすることができる。また、ケーシング本体部１に外周面案内部７１や内周面案内部７２が設けられているので、掘削された土砂等は当該外周面案内部７１や内周面案内部７２により案内されてケーシングビット６００の回転方向後ろ側且つ掘削進行方向と反対側に移動することとなり、ケーシング本体部１の掘削進行方向側の端部等に土砂等を固結し難くすることができる。特に、外周面案内部７１や内周面案内部７２は、外先端側案内部８１や内先端側案内部８２に連続するように形成されているので、外先端側案内部８１や内先端側案内部８２により移動が案内される土砂等がスムーズに外周面案内部７１や内周面案内部７２に受け渡されることとなる。
これにより、ビット部２２の地盤への喰い込みを効率良く行うことができ、硬質地盤での掘削速度の高速化を図ることができるとともに、ビット部２２の摩耗を減少させてビット部２２の寿命をより長くすることができる。さらに、管内閉塞が生じ難くなり、杭の圧入をより短時間で行うことができる。
このように、硬質地盤での掘削を好適に行うことができる。
【００７２】
なお、上記実施形態６では、外周面案内部７１及び内周面案内部７２として線状に形成されたものを例示したが、一例であってこれに限られるものではなく、形状は適宜任意に変更可能であり、例えば、ケーシング本体部１の外周面や内周面に沿って螺旋状に形成されたものであっても良い。
また、外周面案内部７１及び内周面案内部７２の両方を設けるようにしたが、一例であってこれに限られるものではなく、外周面案内部７１及び内周面案内部７２のうち、少なくとも何れか一方が設けられていれば良い。
また、外先端側案内部８１及び内先端側案内部８２の両方を設けるようにしたが、一例であってこれに限られるものではなく、外先端側案内部８１及び内先端側案内部８２のうち、少なくとも何れか一方が設けられていれば良い。
【００７３】
なお、本発明は、上記実施形態に限定されることなく、本発明の趣旨を逸脱しない範囲において、種々の改良並びに設計の変更を行っても良い。
例えば、上記実施形態１〜６では、ケーシング本体部１として、軸方向に略直交する断面が略円環形状をなす円筒状に形成されたものを例示したが、一例であってこれに限られるものではなく、例えば、断面が多角形状をなす角筒状に形成されていても良い。
【符号の説明】
【００７４】
１００、２００、２００Ａ、３００、４００、５００、６００  ケーシングビット
１    ケーシング本体部
２    突出部
２１  ビット取付部
２２  ビット部
３    突出部間整流部
４    本体側整流部
５    ビット側整流部
７１  外周面案内部
７２  内周面案内部
８１  外先端側案内部
８２  内先端側案内部
【図１】
2015140512.tif 000003
【図２】
2015140512.tif 000004
【図３】
2015140512.tif 000005
【図４】
2015140512.tif 000006
【図５】
2015140512.tif 000007
【図６】
2015140512.tif 000008
【図７】
2015140512.tif 000009
【図８】
2015140512.tif 000010